(57)【要約】【課題】画像、音声、テキスト、付加情報等のオブジェクトの重要度の容易な確認、重要度が高いオブジェクトの抽出、有用なオブジェクトグループの作成保存、不要なオブジェクト群の自動削除等を可能とした再生装置、記録再生装置、コンピュータ読み取り可能なプログラム、及び記憶媒体を提供する。【解決手段】画像、音声、テキスト、付加情報等の複数のオブジェクトのグループを管理するグループ管理ファイルと、複数のオブジェクトの再生手順を示すプレイリスト（再生リスト）とを備えた撮像装置において、グループ管理ファイルより算出したグループ数と、プレイリストから算出した前記プレイリストで使用されている回数又は時間とを所定の比率で計算した数値の順に、各オブジェクトを表示器２１４に表示する制御を行うＣＰＵ２３０を備える。【選択図】　　　図１
2004032503.tif 000002
【特許請求の範囲】
【請求項１】
画像、音声、テキスト、付加情報等の複数のオブジェクトのグループを管理する管理ファイルを備えた再生装置において、前記各オブジェクトが属するグループの数を前記管理ファイルより算出し、前記属するグループ数を前記オブジェクト毎に表示する制御手段を備えることを特徴とする再生装置。
【請求項２】
前記制御手段は、前記属するグループ数の順に前記オブジェクトを表示することを特徴とする請求項１記載の再生装置。
【請求項３】
前記制御手段は、前記属するグループ数が所定値以上あるいは所定値以下のオブジェクトをグループとして登録することを特徴とする請求項１記載の再生装置。
【請求項４】
前記制御手段は、前記属するグループ数が所定値以上あるいは所定値以下のオブジェクトを一括消去することを特徴とする請求項１記載の再生装置。
【請求項５】
画像、音声、テキスト、付加情報等の複数のオブジェクトの再生手順を示す再生リストを備えた再生装置において、前記各オブジェクトが前記再生リストで使用されている回数又は時間を前記再生リストから算出し、前記使用回数又は使用時間をオブジェクト毎に表示する制御手段を備えることを特徴とする再生装置。
【請求項６】
前記制御手段は、前記使用回数又は使用時間が所定値以上あるいは所定値以下のオブジェクトをグループとして登録することを特徴とする請求項５記載の再生装置。
【請求項７】
前記制御手段は、前記使用回数又は使用時間が所定値以上あるいは所定値以下のオブジェクトを一括消去することを特徴とする請求項５記載の再生装置。
【請求項８】
前記制御手段は、前記使用回数又は使用時間の順に前記オブジェクトを表示することを特徴とする請求項５記載の再生装置。
【請求項９】
画像、音声、テキスト、付加情報等の複数のオブジェクトのグループを管理する管理ファイルと、前記オブジェクトの再生手順を示す再生リストとを備えた再生装置において、前記管理ファイルより算出したグループ数と、前記再生リストから算出した前記再生リストで使用されている回数又は時間とを所定の比率で計算した数値の順に、前記各オブジェクトを表示する制御手段を備えることを特徴とする再生装置。
【請求項１０】
前記制御手段は、前記所定の比率で計算した数値の順に、所定の数値以上あるいは所定の数値以下のオブジェクトをグループとして登録することを特徴とする請求項９記載の再生装置。
【請求項１１】
前記制御手段は、前記所定の比率で計算した数値の順に、所定の数値以上あるいは所定の数値以下のオブジェクトを一括消去することを特徴とする請求項９記載の再生装置。
【請求項１２】
記録媒体から複数のグループに分類された複数の情報データを再生する再生手段と、前記複数の情報データが属する前記グループの状態を示す情報を前記情報データ毎に表示する表示制御手段とを備えることを特徴とする再生装置。
【請求項１３】
前記表示制御手段は、前記複数の情報データがそれぞれ属するグループの数を示す情報を表示することを特徴とする請求項１２記載の再生装置。
【請求項１４】
前記複数の情報データがそれぞれ属するグループの数に基づいて前記複数の情報データをソートするソート手段を有し、前記表示制御手段は、前記ソート手段のソート結果を表示することを特徴とする請求項１３記載の再生装置。
【請求項１５】
前記ソート手段は、任意のソート指示に応じて前記ソート処理を行うことを特徴とする請求項１４記載の再生装置。
【請求項１６】
前記ソート手段は、更に、前記複数の情報データがそれぞれ属するグループの数と前記複数の情報データに関する他の属性情報を用いて前記ソート処理を行うことを特徴とする請求項１４記載の再生装置。
【請求項１７】
前記ソート手段は、前記複数の情報データがそれぞれ属するグループの数と前記複数の情報データに関する他の属性情報とを所定の割合で重み付けして前記ソート処理を行うことを特徴とする請求項１６記載の再生装置。
【請求項１８】
前記グループを管理する管理情報に基づいて前記複数の情報データが属するグループを検出する検出手段を有し、前記表示制御手段は、前記検出手段の検出結果に基づいて前記複数の情報データが属するグループの状態を示す情報を表示することを特徴とする請求項１２記載の再生装置。
【請求項１９】
前記再生手段は、更に、前記管理情報を前記記録媒体から再生することを特徴とする請求項１２又は１８記載の再生装置。
【請求項２０】
前記複数の情報データは、互いにカテゴリが異なる複数のグループに分類されていることを特徴とする請求項１２記載の再生装置。
【請求項２１】
記録媒体から複数の情報データを再生する再生手段と、前記複数の情報データの再生手順を示す再生リストに応じて前記再生手段の再生動作を制御する再生制御手段と、前記複数の情報データがそれぞれ指定されている前記再生リストに係る情報を前記複数の情報データ毎に表示する表示制御手段とを備えることを特徴とする再生装置。
【請求項２２】
前記表示制御手段は、前記複数の情報データがそれぞれ指定されている前記再生リストの数を表示することを特徴とする請求項２１記載の再生装置。
【請求項２３】
前記複数の情報データがそれぞれ指定されている前記再生リストの数に基づいて前記複数の情報データをソートするソート手段を有し、前記表示制御手段は、前記ソート手段のソート結果を表示することを特徴とする請求項２２記載の再生装置。
【請求項２４】
前記ソート手段は、更に、前記複数の情報データがそれぞれ属するグループの数と前記複数の情報データに関する他の属性情報を用いて前記ソート処理を行うことを特徴とする請求項２３記載の再生装置。
【請求項２５】
前記表示制御手段は、前記複数の情報データが複数の前記再生リストによりそれぞれ指定されている再生時間を表示することを特徴とする請求項２１記載の再生装置。
【請求項２６】
前記複数の情報データが前記複数の再生リストにより指定されている再生時間に基づいて前記複数の情報データをソートするソート手段を有し、前記表示制御手段は、前記ソート手段のソート結果を表示することを特徴とする請求項２５記載の再生装置。
【請求項２７】
前記ソート手段は、更に、前記複数の情報データが前記複数の再生リストにより指定されている再生時間と前記複数の情報データに関する他の属性情報を用いて前記ソート処理を行うことを特徴とする請求項２６記載の再生装置。
【請求項２８】
前記ソート手段は、任意のソート指示に応じて前記ソート処理を行うことを特徴とする請求項２３又は２６記載の再生装置。
【請求項２９】
前記請求項１乃至２８の何れかに記載の再生装置と、前記再生装置で再生されるデータを記録する記録装置とを備えることを特徴とする記録再生装置。
【請求項３０】
画像を入力する撮像手段と音声を入力する音声入力手段とを備えた撮像装置に適用されることを特徴とする請求項２９記載の記録再生装置。
【請求項３１】
コンピュータに、画像、音声、テキスト、付加情報等の複数のオブジェクトが属するグループの数を、前記複数のオブジェクトのグループを管理する管理ファイルより算出し、前記属するグループ数を前記オブジェクト毎に表示する機能を実行させるコンピュータ読み取り可能なプログラム。
【請求項３２】
コンピュータに、画像、音声、テキスト、付加情報等の複数のオブジェクトが、前記複数のオブジェクトの再生手順を示す再生リストで使用されている回数又は時間を前記再生リストから算出し、前記使用回数又は使用時間をオブジェクト毎に表示する機能を実行させるコンピュータ読み取り可能なプログラム。
【請求項３３】
コンピュータに、画像、音声、テキスト、付加情報等の複数のオブジェクトのグループを管理する管理ファイルより算出したグループ数と、前記オブジェクトの再生手順を示す再生リストから算出した前記再生リストで使用されている回数又は時間とを所定の比率で計算した数値の順に、前記各オブジェクトを表示する機能を実行させるコンピュータ読み取り可能なプログラム。
【請求項３４】
コンピュータに、記録媒体から複数のグループに分類された複数の情報データを再生する機能と、前記複数の情報データが属する前記グループの状態を示す情報を前記情報データ毎に表示する機能とを実行させるコンピュータ読み取り可能なプログラム。
【請求項３５】
コンピュータに、記録媒体から複数の情報データを再生する機能と、前記複数の情報データの再生手順を示す再生リストに応じて前記再生手段の再生動作を制御する機能と、前記複数の情報データがそれぞれ指定されている前記再生リストに係る情報を前記複数の情報データ毎に表示する機能とを実行させるコンピュータ読み取り可能なプログラム。
【請求項３６】
前記請求項３１乃至３５の何れかに記載のコンピュータ読み取り可能なプログラムを格納したことを特徴とする記憶媒体。
【発明の詳細な説明】
【０００１】
【発明の属する技術分野】
本発明は、画像、音声、テキスト、付加情報等の複数のオブジェクトを管理する管理ファイルや複数のオブジェクトの再生リストを備えた、ビデオカメラ等の記録再生装置や撮像装置において、複数のオブジェクトの表示、グループ化、検索、消去を行う場合に好適な再生装置、記録再生装置、コンピュータ読み取り可能なプログラム、及び記憶媒体に関する。
【０００２】
【従来の技術】
従来、テープ媒体を用いたビデオカメラ等の記録再生装置において、テープ媒体に記録された撮影シーンの再生表示方法としては、ビデオカメラ本体に装備されたＬＣＤ、ＥＶＦ等の表示装置、あるいはビデオカメラ本体のモニタ出力端子に接続したモニタにより動画を表示することが行われている。ビデオカメラにおいては、複数の画面表示方法に関する機能として、以前に再生された静止画をビデオカメラ内のメモリに保存し、その静止画を縮小して前記表示装置に子画面として表示する機能を備えるものもあった。
【０００３】
近年、記録媒体にハードディスクや磁気ディスク等を用いたビデオカメラが製品化され始めた。この様なディスク媒体を使用したビデオカメラでは各撮影シーンをファイルとして記録媒体に保存するため、撮影シーンの再生時は、記録媒体における各撮影シーンへのアクセスが比較的、容易かつ高速となった。ディスク媒体を使用したビデオカメラの再生表示方法に関する機能としては、各撮影シーンのファイル内に静止画インデックスを記録しておき、この静止画インデックスを一覧表示して、その中から選択されたファイルを再生してビデオカメラ本体に装備されたＬＣＤ、ＥＶＦ等の表示装置、あるいはビデオカメラ本体のモニタ出力端子に接続したモニタにより表示する機能が一般的である。
【０００４】
また、前記記録媒体に記録される情報量は、記録される画像の画質と記録サイズの増大に伴い日増しに大きくなっている。しかし、それにもまして半導体技術の進歩により、記録媒体の記憶容量は急速に増大している。例えば、カード型の記録媒体で５１２メガバイトや１ギガバイトの製品が出現してきており、光磁気ディスクでは数十ギガバイト、ハードディスクでは数百ギガバイトの記憶容量が安価で実現できている。そのため、この種の記録媒体を用いる記録装置（あるいは記録再生装置）においては記録可能時間や記録ファイルも年々増加してきている。
【０００５】
また、前記のような記録再生装置等の機器では、操作者が、機器本体で記録された各撮影シーンを自由にプログラムしても、そのプログラムをシームレスに再生することが可能となる。プログラム内容も、複数の再生経路、任意の再生区間、多彩な再生エフェクト機能、任意の位置、区間でのリンク機能等、複雑なプログラムが再生可能となりえる。更に、各撮影シーンを任意にグループ化して、ファイルを整理することも可能となる期待がある。
【０００６】
【発明が解決しようとする課題】
しかしながら、上記従来技術においては次のような課題があった。記録媒体の記憶容量増加は、記録時間、記録ファイル数の増加となり、これら記録情報（ファイル）を一律に再生するには膨大な時間を費やすことになってしまう。一般的に、真に鑑賞したい撮影シーンは記録媒体に記録されている全てのシーンのうちのある一部であることが多い。そのため、記録媒体に記録されているシーンから所望の撮影シーンを的確に検索できる手法あるいは最適な鑑賞プログラムが求められている。記録媒体からの撮影シーンの検索を行う機器としては、ファイル名、記録日時、ファイル種類などに基づき、記録ファイルを検索、ソートする機器が存在するが、記録ファイル数の増加に従って、更なる利便性の高い機能が要求されてくる。
【０００７】
本発明は、上述した点に鑑みなされたものであり、画像、音声、テキスト、付加情報等のオブジェクトの重要度の容易な確認、重要度が高いオブジェクトの抽出、有用なオブジェクトグループの作成保存、不要なオブジェクト群の自動削除等を可能とした再生装置、記録再生装置、コンピュータ読み取り可能なプログラム、及び記憶媒体を提供することを目的とする。
【０００８】
【課題を解決するための手段】
上記目的を達成するため、本発明の再生装置は、画像、音声、テキスト、付加情報等の複数のオブジェクトのグループを管理する管理ファイルを備えた再生装置において、前記各オブジェクトが属するグループの数を前記管理ファイルより算出し、前記属するグループ数を前記オブジェクト毎に表示する制御手段を備えることを特徴とする。
【０００９】
また、本発明の再生装置は、画像、音声、テキスト、付加情報等の複数のオブジェクトの再生手順を示す再生リストを備えた再生装置において、前記各オブジェクトが前記再生リストで使用されている回数又は時間を前記再生リストから算出し、前記使用回数又は使用時間をオブジェクト毎に表示する制御手段を備えることを特徴とする。
【００１０】
また、本発明の再生装置は、画像、音声、テキスト、付加情報等の複数のオブジェクトのグループを管理する管理ファイルと、前記オブジェクトの再生手順を示す再生リストとを備えた再生装置において、前記管理ファイルより算出したグループ数と、前記再生リストから算出した前記再生リストで使用されている回数又は時間とを所定の比率で計算した数値の順に、前記各オブジェクトを表示する制御手段を備えることを特徴とする。
【００１１】
また、本発明の再生装置は、記録媒体から複数のグループに分類された複数の情報データを再生する再生手段と、前記複数の情報データが属する前記グループの状態を示す情報を前記情報データ毎に表示する表示制御手段とを備えることを特徴とする。
【００１２】
また、本発明の再生装置は、記録媒体から複数の情報データを再生する再生手段と、前記複数の情報データの再生手順を示す再生リストに応じて前記再生手段の再生動作を制御する再生制御手段と、前記複数の情報データがそれぞれ指定されている前記再生リストに係る情報を前記複数の情報データ毎に表示する表示制御手段とを備えることを特徴とする。
【００１３】
また、本発明の記録再生装置は、前記再生装置と、前記再生装置で再生されるデータを記録する記録装置とを備えることを特徴とする。
【００１４】
また、本発明のコンピュータ読み取り可能なプログラムは、コンピュータに、画像、音声、テキスト、付加情報等の複数のオブジェクトが属するグループの数を、前記複数のオブジェクトのグループを管理する管理ファイルより算出し、前記属するグループ数を前記オブジェクト毎に表示する機能を実行させることを特徴とする。
【００１５】
また、本発明のコンピュータ読み取り可能なプログラムは、コンピュータに、画像、音声、テキスト、付加情報等の複数のオブジェクトが、前記複数のオブジェクトの再生手順を示す再生リストで使用されている回数又は時間を前記再生リストから算出し、前記使用回数又は使用時間をオブジェクト毎に表示する機能を実行させることを特徴とする。
【００１６】
また、本発明のコンピュータ読み取り可能なプログラムは、コンピュータに、画像、音声、テキスト、付加情報等の複数のオブジェクトのグループを管理する管理ファイルより算出したグループ数と、前記オブジェクトの再生手順を示す再生リストから算出した前記再生リストで使用されている回数又は時間とを所定の比率で計算した数値の順に、前記各オブジェクトを表示する機能を実行させることを特徴とする。
【００１７】
また、本発明のコンピュータ読み取り可能なプログラムは、コンピュータに、記録媒体から複数のグループに分類された複数の情報データを再生する機能と、前記複数の情報データが属する前記グループの状態を示す情報を前記情報データ毎に表示する機能とを実行させることを特徴とする。
【００１８】
また、本発明のコンピュータ読み取り可能なプログラムは、コンピュータに、記録媒体から複数の情報データを再生する機能と、前記複数の情報データの再生手順を示す再生リストに応じて前記再生手段の再生動作を制御する機能と、前記複数の情報データがそれぞれ指定されている前記再生リストに係る情報を前記複数の情報データ毎に表示する機能とを実行させることを特徴とする。
【００１９】
また、本発明の記憶媒体は、前記コンピュータ読み取り可能なプログラムを格納したことを特徴とする。
【００２０】
【発明の実施の形態】
先ず、本発明の実施の形態の概要を説明する。本発明の実施の形態は、データの記録機能及びデータの再生機能を有するビデオカメラ等の撮像装置において、画像、音声、テキスト、付加情報等の複数のオブジェクトを管理する管理ファイルや、前記複数のオブジェクトの再生手順を示す再生リストを用いることにより、各ファイルの重要度の把握、ファイルの検索性の向上、ファイルの最適なグループ化、ファイルの消去方法など、付加価値が高く有意義な機能を実現するものである。以下、本発明の実施の形態を図面に基づいて詳細に説明する。
【００２１】
＜撮像装置の構成＞
図１は本発明の実施の形態に係る撮像装置の構成を示すブロック図であり、本発明の特徴を最もよく表す図である。撮像装置２００は、レンズ２０１、固体センサ２０２、Ａ／Ｄコンバータ２０３、モータ２０４、マイク２０９、マイクアンプ２１０、Ａ／Ｄコンバータ２１１、操作キー２１２、表示ドライバ２１３、表示器２１４、スピーカドライバ２１５、スピーカ２１６、外部入出力端子２１７、電源２２１、メモリ２２２、記録再生制御回路２２３、記録再生制御回路２２４、ＣＰＵ２３０を備え、第１の記録媒体１０１、第２の記録媒体１０２に対して画像データや音声データを記録再生する。
【００２２】
撮像装置各部を詳述すると、レンズ２０１は、被写体の映像を取り込む。固体センサ２０２は、レンズ２０１で取り込んだ映像を電気信号に変換する。Ａ／Ｄコンバータ２０３は、固体センサ２０２から出力される電気信号をデジタルデータに変換する。モータ２０４は、レンズ２０１を駆動する。マイク２０９は、音声を取り込む。マイクアンプ２１０は、マイク２０９で取り込んだ音声を増幅する。Ａ／Ｄコンバータ２１１は、マイクアンプ２１０から出力される音声信号をデジタルデータに変換する。操作キー２１２は、撮像装置２００を操作するためのものであり、撮影開始スイッチ、撮影終了スイッチ、記録モードキー、再生モードキー、ソート指示キー等の各種スイッチ・キー群から構成されている。
【００２３】
表示ドライバ２１３は、映像を表示器２１４に対する表示形式にするドライバである。表示器２１４は、映像を表示するためのＬＣＤ、ＥＶＦ等から構成されている。スピーカドライバ２１５は、スピーカ２１６から音声を出力するためのドライバである。スピーカ２１６は、音声を出力する。外部入出力端子２１７は、諸情報を入出力する端子である。記録再生制御回路２２３は、第１の記録媒体１０１または第２の記録媒体１０２に対するデータの記録、再生を制御する。記録再生制御回路２２４は、第２の記録媒体１０２に対するデータの記録、再生を制御する。
【００２４】
第１の記録媒体１０１は、記録再生制御回路２２３の制御によりデータの記録、再生が行われる。第２の記録媒体１０２は、記録再生制御回路２２４の制御によりデータの記録、再生が行われる。ＣＰＵ２３０は、撮像装置のシステム各部を制御する中央処理装置であり、撮像装置内部に格納されたプログラムまたは撮像装置外部から供給されるプログラムに基づき後述の図９及び図１０のフローチャートを含む各種処理を実行する。メモリ２２２は、ＣＰＵ２３０とシステムで必要とする各種データを記憶するメモリである。電源２２１は、撮像装置各部に電源を供給する。
【００２５】
上記図１のブロック図において、まず、基本的な画像記録動作を説明する。画像記録動作は、撮像装置のレンズ２０１を通って入射した被写体からの光は、固体センサ２０２で電気信号に変換される。そして、Ａ／Ｄコンバータ２０３によってサンプリングされてデジタルデータに変換される。前記デジタルデータは、デジタル映像信号としてＣＰＵ２３０に入力される。レンズ２０１は、オートフォーカス機能とズーム機能のため、ＣＰＵ２３０の制御命令でモータ２０４の駆動により移動する。また、固体センサ２０２からデータを引き出すためのタイミング信号は、ＣＰＵ２３０により生成される。音声については、マイク２０９より得られた音声信号がマイクアンプ２１０で増幅され、Ａ／Ｄ変換器２１１によりサンプリングされてデジタルデータに変換され、ＣＰＵ２３０に入力される。
【００２６】
前記デジタル映像信号に対しては、ＣＰＵ２３０で、色分離、白バランス、ガンマ補正、アパーチャ補正などの基本処理と、撮像装置２００の操作キー２１２で設定された、画像サイズ、画質調整、位置調整などの付加処理を行う。更に、デジタル映像信号に対しては、設定された圧縮方法と圧縮パラメータによってＭＰＥＧ（Ｍｏｖｉｎｇ　Ｐｉｃｔｕｒｅ　Ｅｘｐｅｒｔｓ　Ｇｒｏｕｐ）、ＭＪＰＥＧ、ＪＰＥＧ（Ｊｏｉｎｔ　Ｐｈｏｔｏｇｒａｐｈｉｃ　Ｅｘｐｅｒｔｓ　Ｇｒｏｕｐ）、ＪＰＥＧ２０００等の画像圧縮処理を行い、画像圧縮データを得る。音声データに対しては、撮像装置２００の操作キー２１２で設定された音質調整などの付加処理を行い、設定された圧縮方法と圧縮パラメータによって音声圧縮データを得る。前記画像圧縮データと音声圧縮データは、制御データと共に記録データとして記録再生制御回路２２３へと送られる。前記制御データとは、撮像装置自体の情報、画像、音声などの記録設定情報、撮影環境情報などの撮影付加情報を意味する。
【００２７】
記録再生制御回路２２３は、記録時には前記記録データを、ＵＤＦ（Ｕｎｉｖｅｒｓａｌ　Ｄｉｓｃ　Ｆｏｒｍａｔ）、ＦＡＴ（Ｆｉｌｅ　Ａｌｌｏｃａｔｉｏｎ　Ｔａｂｌｅ）等のファイルシステム管理のもとに、ファイルとして第１の記録媒体１０１または第２の記録媒体１０２に書き込みを行う。ファイルシステムとは、ファイルの管理を行うための管理情報とファイルデータからなる構造体系を意味する。このファイルシステムを共通化することによって、異なった記録媒体に対しても、あるいは異なった記録再生機器においても、データの記録再生を行うことができるわけである。前記記録データは、必要に応じて外部入出力端子２１７に送られる。更に、前記記録データは、確認用として、表示ドライバ２１３を通して表示器２１４に表示される。撮像装置２００の電源は、電源２２１より供給され各回路ブロックに供給される。
【００２８】
記録媒体１０１、１０２としては、ＭＭＣ（Ｍｕｌｔｉ　Ｍｅｄｉａ　Ｃａｒｄ）、ＳＳＦＤＣ（Ｓｏｌｉｄ　Ｓｔａｔｅ　Ｆｌｏｐｐｙ（登録商標）Ｄｉｓｃ　Ｃａｒｄ）、コンパクトフラッシュ（登録商標）、ＰＣカードなどのメモリカード、あるいはハードディスク、ＣＤ−ＲＷ、ＦＤ、ＭＤ、ＤＶＤ−ＲＡＭなどの磁気（あるいは光磁気）記録メディアなどを想定することができる。
【００２９】
記録媒体として円盤状の光磁気ディスクを用いた場合、光磁気ディスクに記録されるデータのイメージを図２に基づき説明する。図２は円盤状の光磁気ディスクの外観を示す斜視図である。記録データは光磁気ディスクにおいて同心円上にデジタルデータとして記録される。図中Ａ部は、光磁気ディスク回転時にチャッキングするための穴である。図中Ｂ部は、光磁気ディスク内に書かれるデータの管理を行うデータを記録する管理領域である。図中Ｃ部は、実際の記録情報データが書かれるデータ領域である。図中Ｄ、Ｅ部は、実際の記録情報データが書かれる様子を示している。管理領域には、ファイルシステム、ディスクＩＤ、各ファイル（記録シーン）の属性、ファイルデータの実際の書かれている位置（セクタあるいはトラック）等が記録される。また、管理領域内に、各ファイルのインデックス画像、各ファイルのグループ管理ファイル、撮影（記録）付加情報、プレイリスト（再生リスト）などを記録する。
【００３０】
＜グループ管理ファイル＞
次に、前記グループ管理ファイルについて説明する。記録媒体に記録される各ファイルを任意のグループに分け登録して管理するファイルが、グループ管理ファイルである。グループは一階層でもよく、あるいは複数の階層が存在していてもよい。ファイル形式は、バイナリまたはスクリプトファイルのどちらでもよく、グループ管理ファイル自体が複数存在することも考えられる。グループ管理ファイルへの登録は、記録時に任意のグループで自動登録することや、記録後にグループ管理ファイルへの登録機能をもつこと、更に、外部機器、ネットワーク経由でグループ管理ファイル編集操作をすることも可能である。
【００３１】
グループ管理ファイルの例を図３に基づき説明する。図３はグループ管理ファイルの例を示す図である。第一階層のグループとして、日付グループ、撮影者グループ、場所グループ、イベントグループ、その他グループが存在し、その下に、それぞれ、第二階層として、日、名前、場所、イベント、その他の項目（グループ）が存在し、各ファイル（オブジェクト）ＦＩＬＥ１−ＦＩＬＥ５２が、前記項目（グループ）に属している様子を矢印で示している。“ＦＩＬＥ１　２”に示す数字２は、属しているグループの数を示している。これらの関連を記述したファイルがグループ管理ファイルである。複数のファイルは、上記のように互いにカテゴリが異なる複数のグループに分類されている。
【００３２】
撮像装置のＣＰＵ２３０は、複数のファイルが属するグループの状態を示す情報をファイル毎に表示器２１４に表示する。また、複数のファイルがそれぞれ属するグループの数を示す情報を表示器２１４に表示する。また、複数のファイルがそれぞれ属するグループの数に基づいて複数のファイルをソートし、ソート結果を表示器２１４に表示する。また、複数のファイルがそれぞれ属するグループの数と複数のファイルに関する他の属性情報を用いて前記ソート処理を行う。また、複数のファイルがそれぞれ属するグループの数と複数のファイルに関する他の属性情報とを所定の割合で重み付けして前記ソート処理を行う。また、グループを管理するグループ管理ファイルに基づいて複数のファイルが属するグループを検出し、前記検出結果に基づいて複数のファイルが属するグループの状態を示す情報を表示器２１４に表示する。また、グループ管理ファイルを記録再生回路２２３、２２４により記録媒体から再生する。
【００３３】
＜プレイリスト（再生リスト）＞
次に、プレイリスト（再生リスト）について説明する。記録媒体に記録される各ファイルについて、任意の再生方法を設定し記述して管理するファイルがプレイリストである。ファイル形式は、バイナリまたはスクリプトファイルのどちらでもよく、プレイリスト自体が複数存在することも考えられる。プレイリストへの登録、編集は、記録時に任意に自動作成することや、記録後にプレイリストへの登録、編集、新規作成機能をもつこと、更に、外部機器、ネットワーク経由でプレイリストへの登録、編集、新規作成操作をすることも可能である。再生方法には、各ファイルの再生順序、再生時間、再生エフェクト、再生ファイル間のエフェクト、任意の位置、区間でのリンク機能等の記述が可能である。
【００３４】
プレイリスト（再生リスト）の例を図４に基づき説明する。図４はプレイリストファイルの例を示す図である。プレイリスト１には、ＦＩＬＥ１が１分通常再生、ＦＩＬＥ３が２分通常再生、ＦＩＬＥ５が１分通常再生、ＦＩＬＥ１が５分通常再生することを記載している。プレイリスト１０には、ＦＩＬＥ６が２分通常再生、ＦＩＬＥ５が２分通常再生、ＦＩＬＥ４が１分通常再生、ＦＩＬＥ１２が２分通常再生することを記載している。図４はこれらプレイリストが複数あることを表している。
【００３５】
撮像装置のＣＰＵ２３０は、記録媒体からの複数のファイルの再生手順を示すプレイリスト（再生リスト）に応じて、記録再生回路２２３、２２４の再生動作を制御する。また、複数のファイルがそれぞれ指定されているプレイリストの数を表示器２１４に表示する。また、複数のファイルがそれぞれ指定されているプレイリストの数に基づいて複数のファイルをソートし、ソート結果を表示器２１４に表示する。また、複数のファイルがそれぞれ属するグループの数と複数のファイルに関する他の属性情報を用いて前記ソート処理を行う。また、複数のファイルが複数のプレイリストによりそれぞれ指定されている再生時間を表示器２１４に表示する。また、複数のファイルが複数のプレイリストにより指定されている再生時間に基づいて複数のファイルをソートし、ソート結果を表示器２１４に表示する。また、複数のファイルが複数のプレイリストにより指定されている再生時間と複数のファイルに関する他の属性情報を用いて前記ソート処理を行う。
【００３６】
＜撮像装置における記録＞
撮像装置２００の操作キー２１２内の撮影開始スイッチ、撮影終了スイッチを操作することで画像の記録を開始してから画像の記録を終了した場合、撮影データは、撮像装置２００の規約に準じたファイル名の付いたファイルとして記録媒体１０１に保存される。この連続記録された保存ファイルが、１つの撮影シーンとして順次記録されていくわけである。本形態では、ＭＰＥＧ等の動画圧縮ファイルの他に、音声圧縮ファイル、付加情報データ、動画データのインデックス画像となる静止画圧縮データなども保存する。
【００３７】
＜撮像装置における再生＞
次に、上記図１のブロック図において、基本（単一ファイル）の再生動作を説明する。記録媒体１０１または記録媒体１０２に記録されているファイル群の中で、操作者が選択したファイルを再生する場合、記録媒体１０１または記録媒体１０２から、記録再生制御回路２２３の制御のもとに、指定ファイルが読み込まれる。読み込まれたデータはＣＰＵ２３０に送られ、読み込まれたデータの解析、分離が行われ、画像データ部、音声データ部、情報データ部等に分解される。画像データ部は、圧縮データならば伸張処理を行い、表示ドライバ２１３を通して表示器２１４で表示される。音声データ部は、圧縮データならば伸張処理を行い、スピーカドライバ２１５を通してスピーカ２１６に送られる。情報データの内容によっては、画像データ、音声データのエフェクト、レタッチなどの加工処理を行う。また、必要に応じて表示器２１４に表示する。また、前記画像データ、音声データ、情報データは、外部入力端子２１７にも送られる。
【００３８】
＜本実施の形態の詳細＞
次に、本実施の形態に係る撮像装置における処理の詳細を図５乃至図１０を参照しながら説明する。図９は撮像装置におけるファイル再生・表示処理を示すフローチャート、図１０は撮像装置における設定項目別ソート処理を示すフローチャートである。
【００３９】
▲１▼ファイル再生・表示処理
最初に、ファイル再生・表示処理について説明する。まず、操作者が撮像装置２００に対し操作キー１２１の操作により再生モードで電源を投入した場合（図９のステップＳ９１）、撮像装置のＣＰＵ２３０は、記録媒体１０１あるいは記録媒体１０２から、各記録媒体に含まれる、コンテンツ（オブジェクト＝ファイル）のリスト、プレイリストファイル、グループ管理ファイルなどのファイル群を、記録再生回路２２３を通してＣＰＵ２３０内に読み込み、ワークメモリ２２２に保管する（図９のステップＳ９２）。通常表示では、前記各ファイルを記録順にソートして、表示ドライバ２１３を通し表示器２１４に選択画面あるいはファイル一覧として表示する（図９のステップＳ９３）。なお、ファイルの表示方法としては、各ファイルが属するグループ数をファイル毎に表示する方法、各ファイルが属するグループ数の順にファイルを表示する方法など各種の表示方法が可能である。
【００４０】
図５は前記各ファイルを表示器２１４に表示した時の表示イメージ例（インデックスファイル表示画面例）を示す図である。本例では記録順に最初の６ファイル（画像１から画像６）を表示している。表示器２１４に表示する各ファイルとしては、動画、静止画などの画像ファイル以外に、音声、テキスト、その他、記録されている各コンテンツのファイルを表示する。前記画像１から画像６の各々の下方に、情報１から情報６を表示する。
【００４１】
情報表示例を図６、図７に示す。図６、図７は共に一つのファイルに関しての情報表示例を示す図である。図示例では１、２、３のメニュー形式になっており、図６はメニュー１、図７はメニュー２を表している。図６では、再生時間、撮影日、プリント設定属性、ファイル保護属性、タイトル情報を表示する。図７では、プレイリストで使用されている回数ＸＸ、使用されている（再生）時間ＹＹ、グループ管理ファイルに属している数ＺＺを、存在しているプレイリスト群と存在しているグループ管理ファイル群から算出して表示する。なお、ファイルに関する、プレイリストで使用されている回数、プレイリストで使用されている時間の表示方法としては、使用回数または使用時間の順にファイルを表示することが可能である。
【００４２】
また、重要度として本例では“Ｂ”ランクと表示している。この重要度を示すランクは、前記プレイリストで使用されている回数ＸＸ、プレイリストで使用されている時間ＹＹ、グループ管理ファイルに属している数ＺＺの数値に所定の係数を掛け、合計した数値が、所定の幅のランクと一致するものを表示している。前記所定のランク幅は、全ファイルの分布から設定することや、操作者が任意に設定することも考えられる。図６、図７に示すような情報表示により、操作者は各ファイルの重要度を容易に把握することができる。
【００４３】
▲２▼設定項目別ソート処理
次に、ソート機能（設定項目別ソート処理）について説明する。図８はソート設定メニューの例を示す図である。ソート設定項目として、プレイリスト、グループ、設定、自動の４項目がある。撮像装置のＣＰＵ２３０は、操作者が操作キー２１２により入力したソート指示に伴い、ソート設定項目として、プレイリスト項目、グループ項目、設定項目、自動項目の何れを選択したかを判断する（図１０のステップＳ１０１）。
【００４４】
操作者がプレイリスト項目を選択した場合、使用回数を選択、または使用時間を選択、または使用回数・使用時間の双方を選択するサブメニューに移る（図１０のステップＳ１０２）。サブメニューにおいて、使用回数の選択では、プレイリスト群で使用される使用回数に基づいてソートを行い、ソート結果を表示器２１４に表示する。使用時間の選択では、プレイリスト群で使用される使用時間に基づいてソートを行い、ソート結果を表示器２１４に表示する。使用回数・使用時間の双方の選択では、プレイリスト群で使用される使用回数と使用時間に基づいてソートを行い、ソート結果を表示器２１４に表示する（図１０のステップＳ１０３）。具体的には、使用回数と使用時間に所定の係数を掛け、合計した数値に基づいてソートを行う。
【００４５】
操作者がグループ項目を選択した場合、複数のファイルがそれぞれ属するグループの数に基づいてソートを行い、ソート結果を表示器２１４に表示する（図１０のステップＳ１０４）。この場合、複数のファイルがそれぞれ属するグループの数と複数のファイルに関する他の属性情報を用いて前記ソート処理を行うことが可能である。
【００４６】
操作者が設定項目を選択した場合、サブメニューに移り（図１０のステップＳ１０５）、プレイリストとグループの重み付けを操作者が調整し、調整された重み付けを用いてソートを行い、ソート結果を表示器２１４に表示する（図１０のステップＳ１０６）。この場合、複数のファイルがそれぞれ属するグループの数と複数のファイルに関する他の属性情報とを所定の割合で重み付けして前記ソート処理を行うことが可能である。
【００４７】
操作者が自動項目を選択した場合、撮像装置のＣＰＵ２３０がファイルの重要度を自動判定しソートを行い、ソート結果を表示器２１４に表示する（図１０のステップＳ１０７）。この時の自動判定は、各ファイルのプレイリスト使用回数、プレイリスト使用時間、グループの属性数に加え、従来からあるファイル作成日時、アクセス日時、プロテクト属性、ファイル形式などファイル単体の属性、プリントマーク、撮影情報、画像音声情報などのファイル付加情報、メディアの容量、残量、種類などの情報、撮像装置の種類、周辺情報、日時などの情報を鑑みてソートを行う。前記各情報は所定の重み付けにより判定することや、操作者がカスタマイズすることも考えられる。
【００４８】
上述したソート条件により、ファイル群を表示器２１４にインデックス表示することにより、各ファイルの重要度を容易に把握することができる。また、ソートされたファイル群を所定の閾値でグループ化しグループ登録する機能、あるいはプレイリストを作成する機能を付加することにより、ファイルを重要度別に管理することを容易に行うことができる。更に、ファイルを所定の閾値で一括削除（消去）する機能を付加することにより、重要度の低いファイルを削除（消去）し、限られた記録媒体の記憶容量を活用することができる。前記グループ化、プレイリストの新規作成においては、複数のグループやプレイリストを作成することも可能である。また、ファイルの一括消去は、ファイル群を複数のグループに分割した後、操作者の判断で任意のグループを消去する方法も考えられる。
【００４９】
ここで、上述したファイルのグループ登録及びファイルの一括消去について補足説明する。図３のグループ管理ファイルに基づきファイルのグループ登録を行う場合は、各ファイルの属するグループの数をグループ管理ファイルより算出し、前記属するグループ数が所定値以上あるいは所定値以下のファイルをグループとして登録する。また、図３のグループ管理ファイルに基づきファイルの一括消去を行う場合は、各ファイルの属するグループの数をグループ管理ファイルより算出し、前記属するグループ数が所定値以上あるいは所定値以下のファイルを一括消去する。
【００５０】
また、図４のプレイリスト（再生リスト）に基づきファイルのグループ登録を行う場合は、各ファイルがプレイリストで使用されている回数又は時間をプレイリストから算出し、使用回数又は使用時間が所定値以上あるいは所定値以下のファイルをグループとして登録する。また、図４のプレイリストに基づきファイルの一括消去を行う場合は、各ファイルがプレイリストで使用されている回数又は時間をプレイリストから算出し、使用回数又は使用時間が所定値以上あるいは所定値以下のファイルを一括消去する。
【００５１】
また、図３のグループ管理ファイルと図４のプレイリストに基づきファイルのグループ登録を行う場合は、グループ管理ファイルより算出したグループ数と、プレイリストから算出したプレイリストで使用されている回数又は時間とを所定の比率で計算した数値の順に、所定の数値以上あるいは所定の数値以下のファイルをグループとして登録する。また、図３のグループ管理ファイルと図４のプレイリストに基づきファイルの一括消去を行う場合は、グループ管理ファイルより算出したグループ数と、プレイリストから算出したプレイリストで使用されている回数又は時間とを所定の比率で計算した数値の順に、所定の数値以上あるいは所定の数値以下のファイルを一括消去する。
【００５２】
以上説明したように、本実施の形態に係る撮像装置によれば、上述した動作を行うことによって、各ファイルの重要度を容易に把握することができる効果がある。また、本実施の形態のソート方法でファイルをソートすることにより、必要なファイルの選択が容易になる効果がある。また、前記ソート方法でファイルをソートしグループ化することで、ファイルの重要度別の再生を行うことができる効果がある。更に、前記グループを一括消去することで、記録媒体を有効に活用することができる効果がある。特に、民生用ビデオカメラ等では、従来になかった、高付加価値のある機能を提供できる効果がある。
【００５３】
［他の実施の形態］
本実施の形態では、撮像装置の表示器２１４により上述した各種表示を行ったが、本発明はこれに限定されるものではなく、撮像装置の外部入出力端子２１７に接続したモニタにより上述した各種表示を行うことも可能である。
【００５４】
本実施の形態では、撮像装置におけるファイルの再生、表示、ソート、登録、消去を例に挙げたが、本発明はこれに限定されるものではなく、撮像装置以外の、データの再生機能を備えた再生装置、データの記録機能及び再生機能を備えた記録再生装置におけるファイルの再生、表示、ソート、登録、消去に適用することも可能である。
【００５５】
また、本発明は、複数の機器から構成されるシステムに適用しても、１つの機器からなる装置に適用してもよい。上述した実施形態の機能を実現するソフトウエアのプログラムコードを記憶した記録媒体等の媒体をシステムあるいは装置に供給し、そのシステムあるいは装置のコンピュータ（またはＣＰＵやＭＰＵ）が記録媒体等の媒体に格納されたプログラムコードを読み出し実行することによっても、本発明が達成されることは言うまでもない。
【００５６】
この場合、記録媒体等の媒体から読み出されたプログラムコード自体が上述した実施形態の機能を実現することになり、そのプログラムコードを記憶した記録媒体等の媒体は本発明を構成することになる。プログラムコードを供給するための記録媒体等の媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭ、あるいはネットワークを介したダウンロードなどを用いることができる。
【００５７】
また、コンピュータが読み出したプログラムコードを実行することにより、上述した実施形態の機能が実現されるだけでなく、そのプログラムコードの指示に基づき、コンピュータ上で稼動しているＯＳなどが実際の処理の一部または全部を行い、その処理によって上述した実施形態の機能が実現される場合も、本発明に含まれることは言うまでもない。
【００５８】
更に、記録媒体等の媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって上述した実施形態の機能が実現される場合も、本発明に含まれることは言うまでもない。
【００５９】
【発明の効果】
以上説明したように、請求項１の発明によれば、各オブジェクトのグループ関連を一目で把握できるため、前記オブジェクトの重要度を容易に確認できる効果がある。
【００６０】
請求項２の発明によれば、オブジェクトを各オブジェクトのグループにおける重要度順にソートでき、全オブジェクトから重要度が高いオブジェクトの抽出ができる効果がある。
【００６１】
請求項３の発明によれば、オブジェクトを各オブジェクトのグループにおける重要度順にソートでき、全オブジェクトから重要度が高いオブジェクトをグループ化することにより、多数のオブジェクト群から有用なオブジェクトグループを作成保存できる効果がある。
【００６２】
請求項４の発明によれば、オブジェクトを各オブジェクトのグループにおける重要度順にソートでき、全オブジェクトから重要度のレベルにオブジェクトを分類し、一括に消去することにより、多数のオブジェクト群から不要なオブジェクト群を自動削除できる効果がある。
【００６３】
請求項５の発明によれば、各オブジェクトの再生リスト内の使用状況を一目で把握できるため、オブジェクトの重要度を容易に確認できる効果がある。
【００６４】
請求項６の発明によれば、各オブジェクトの再生リスト内の使用における重要度順にソートするため、全オブジェクトから重要度が高いオブジェクトを抽出できる効果がある。
【００６５】
請求項７の発明によれば、各オブジェクトの再生リスト内の使用における重要度順にソートし、全オブジェクトから重要度が高いオブジェクトをグループ化することにより、多数のオブジェクト群から有用なオブジェクトグループを作成保存できる効果がある。
【００６６】
請求項８の発明によれば、各オブジェクトの再生リスト内の使用における重要度順にソートし、全オブジェクトから重要度のレベルにオブジェクトを分類し、一括に消去することにより、多数のオブジェクト群から不要なオブジェクト群を自動削除できる効果がある。
【００６７】
請求項９の発明によれば、各オブジェクトのグループ関連と、再生リスト内の使用における重要度順にソートするため、全オブジェクトから重要度が高いオブジェクトを抽出できる効果がある。
【００６８】
請求項１０の発明によれば、各オブジェクトのグループ関連と、再生リスト内の使用における重要度順にソートし、全オブジェクトから重要度が高いオブジェクトをグループ化することにより、多数のオブジェクト群からより有用なオブジェクトグループを作成保存できる効果がある。
【００６９】
請求項１１の発明によれば、各オブジェクトのグループ関連と、再生リスト内の使用における重要度順にソートし、全オブジェクトから重要度のレベルにオブジェクトを分類し、一括に消去することにより、多数のオブジェクト群から不要なオブジェクト群を自動削除できる効果がある。
【００７０】
請求項１２乃至２０の発明によれば、複数の情報データが属するグループの状態を示す情報を情報データ毎に表示により確認できるため、各情報データの重要度を容易に確認できるなどの効果がある。
【００７１】
請求項２１乃至２８の発明によれば、複数の情報データがそれぞれ指定されている再生リストに係る情報を情報データ毎に表示により確認できるため、各情報データの重要度を容易に確認できるなどの効果がある。
【００７２】
請求項２９及び３０の発明によれば、記録再生装置のみならず、画像を入力する撮像手段及び音声を入力する音声入力手段を備えたビデオカメラ等の撮像装置において、従来、存在していなかった、利便性の高い新機能を提供できる効果がある。
【００７３】
請求項３１乃至３６の発明においても、上記と同様の効果がある。
【図面の簡単な説明】
【図１】本発明の実施の形態に係る撮像装置の構成を示すブロック図である。
【図２】本実施の形態に係る撮像装置の記録媒体の例である光磁気ディスクの外観を示す斜視図である。
【図３】本実施の形態に係る撮像装置におけるグループ管理ファイルの例を示す図である。
【図４】本実施の形態に係る撮像装置におけるプレイリストファイルの例を示す図である。
【図５】本実施の形態に係る撮像装置におけるインデックスファイルの表示画面例を示す図である。
【図６】本実施の形態に係る撮像装置における情報表示例１を示す図である。
【図７】本実施の形態に係る撮像装置における情報表示例２を示す図である。
【図８】本実施の形態に係る撮像装置におけるソート設定メニュー画面例を示す図である。
【図９】本実施の形態に係る撮像装置におけるファイル再生・表示処理を示すフローチャートである。
【図１０】本実施の形態に係る撮像装置における設定項目別ソート処理を示すフローチャートである。
【符号の説明】
２００　撮像装置
２０１　レンズ（撮像手段）
２０２　固体センサ（撮像手段）
２０９　マイク（音声入力手段）
２１４　表示器
２２３、２２４　記録再生制御回路（再生手段）
２３０　ＣＰＵ（制御手段、表示制御手段、ソート手段、検出手段、再生制御手段）
１０１　第１の記録媒体
１０２　第２の記録媒体
【図１】
2004032503.tif 000003
【図２】
2004032503.tif 000004
【図３】
2004032503.tif 000005
【図４】
2004032503.tif 000006
【図５】
2004032503.tif 000007
【図６】
2004032503.tif 000008
【図７】
2004032503.tif 000009
【図８】
2004032503.tif 000010
【図９】
2004032503.tif 000011
【図１０】
2004032503.tif 000012